(57)【要約】【課題】聴覚障害を持つ人や耳が遠くなった老人でも安心して周囲の音声の変化を知ることができ、何らかの非常事態が起きても即座に次の行動をとることができる音声情報報知システムを提供する。【解決手段】所望の場所で音声を拾い、それを無線信号に変換して送信する音声送信装置１と、離れた場所で音声送信装置１からの無線信号を受信して音声信号を復調し、復調した音声信号を音声解析して音源を特定し、特定した結果を視覚情報として表示し、更にランプを一定時間点滅させてユーザに音声の集音が行われたことと集音した音声の意味を知らせる音声分析装置２とを備える。【選択図】      図１
2004207876.tif 000002
【特許請求の範囲】
【請求項１】
音声を拾って音声信号として送信する音声送信装置と、この音声送信装置から送信された音声信号を受信して解析する音声解析装置とを具備する音声情報報知システムであって、前記音声送信装置は、音波を電気信号に変換する変換手段と、前記変換手段で変換された電気信号である音声信号を無線信号に変換して送信する送信手段とを具備し、前記音声解析装置は、無線信号に変換された電気信号を受信し、受信した無線信号から音声信号を復調する受信手段と、前記受信手段で復調された音声信号を波形分析して音源の種類を特定する音声解析手段と、前記音声解析手段で特定された音源の種類を視覚情報として画面表示する表示手段と、通電されることで発光する発光手段と、前記受信手段で前記音声信号が復調されたときに前記発光手段を一定時間点滅させる点灯制御手段とを具備することを特徴とする音声情報報知システム。
【請求項２】
前記音声解析装置は、前記音声解析手段で特定された音源の種類を予め登録されたメールアドレスに転送する電子メール送信手段を更に具備することを特徴とする請求項１に記載の音声情報報知システム。
【請求項３】
前記音声送信装置は、撮影手段を更に具備し、前記送信手段は、音声信号と共に前記撮影手段で撮影された映像を無線信号に変換して送信し、前記音声分析装置は、前記受信手段で受信された無線信号から映像信号を復調して前記表示手段に表示する映像処理手段を更に具備することを特徴とする請求項１又は請求項２のいずれかに記載の音声情報報知システム。
【請求項４】
前記音声分析装置の前記表示手段は、音声が記録された時刻、前記音声送信装置を少なくとも２つ設置した場合にその識別番号、音声波形並びに音声分析の結果を表示することを特徴とする請求項１から請求項３のいずれかに記載の音声情報報知システム。
【請求項５】
所望の場所で音声を拾い、それを無線信号に変換して送信し、離れた場所でその無線信号を受信して音声信号を復調し、復調した音声信号を音声解析して音源を特定し、特定した結果を視覚情報として表示し、更にランプを一定時間点滅させてユーザに音声の集音が行われたことと集音した音声の意味を知らせることを特徴とする音声情報報知方法。
【発明の詳細な説明】
【０００１】
【発明の属する技術分野】
本発明は、音声を分析する音声情報報知システム及び音声情報報知方法に関する。
【０００２】
【従来の技術】
従来、聴覚障害を持つ人や耳が遠くなった老人の行動を補助するための音声情報報知システムが案出されている。この従来の音声情報報知システムは、データ送信機能を備えた音声入力ユニットと、データ受信機能を備えた報知ユニット（いずれも図示略）とからなり、音声入力ユニットで取り込まれた周囲の音声が音声データとしてそのまま送信され、これを報知ユニットが受信してランプの点灯或いは振動の発生を行い、ユーザに対して音声が生じたことを知らせる。
【０００３】
【発明が解決しようとする課題】
しかしながら、従来の音声情報報知システムにおいては、音声を拾ったときにランプを点灯させたり振動を発生させたりして、ユーザに報知するようにしているが、ユーザは音声が生じたことが分かるものの、どのような音声なのかまでは知ることはできない。このため、特に聴覚障害を持つ人や耳が遠くなった老人にとっては、自分の周囲で何か事が起きたときにその状況を的確に把握することができず、次の行動をうまくとることができないという問題がある。
【０００４】
本発明は係る点に鑑みてなされたものであり、聴覚障害を持つ人や耳が遠くなった老人でも安心して周囲の音声の変化を知ることができ、何らかの非常事態が起きても即座に次の行動をとることが可能な音声情報報知システム及び音声情報報知方法を提供することを目的とする。
【０００５】
【課題を解決するための手段】
請求項１に係る発明の音声情報報知システムは、音声を拾って音声信号として送信する音声送信装置と、この音声送信装置から送信された音声信号を受信して解析する音声解析装置とを具備する音声情報報知システムであって、前記音声送信装置は、音波を電気信号に変換する変換手段と、前記変換手段で変換された電気信号である音声信号を無線信号に変換して送信する送信手段とを具備し、前記音声解析装置は、無線信号に変換された電気信号を受信し、受信した無線信号から音声信号を復調する受信手段と、前記受信手段で復調された音声信号を波形分析して音源の種類を特定する音声解析手段と、前記音声解析手段で特定された音源の種類を視覚情報として画面表示する表示手段と、通電されることで発光する発光手段と、前記受信手段で前記音声信号が復調されたときに前記発光手段を一定時間点滅させる点灯制御手段とを具備する構成を採る。
【０００６】
この構成によれば、拾った音声を無線信号に変換して送信し、離れた場所でその無線信号を受信して音声信号を復調し、復調した音声信号を音声解析して音源を特定し、特定した結果を視覚情報として表示し、更にランプを一定時間点滅させるので、ユーザは、音声の集音が行われたことを知ることができるとともに、集音した音声の意味を知ることができる。したがって、聴覚障害を持つ人や耳が遠くなった老人でも安心して周囲の音声の変化を知ることができ、何らかの非常事態が起きても即座に次の行動をとることが可能となる。
【０００７】
請求項２に係る発明の音声情報報知システムは、請求項１に係る発明の音声情報報知システムにおいて、前記音声解析装置は、前記音声解析手段で特定された音源の種類を予め登録されたメールアドレスに転送する電子メール送信手段を更に具備する構成を採る。
【０００８】
この構成によれば、例えば自宅に音声解析装置と、少なくとも１つの音声送信装置を設置しておくことで、外出中に家の状況に変化があった場合にその状況の変化を携帯電話等の移動端末にて受け取ることができる。これにより、泥棒の侵入や火事等の災害が起きたときに、迅速且つ適切な処置を行うことが可能となり、それらの被害を最小限に抑えることが可能となる。
【０００９】
請求項３に係る発明の音声情報報知システムは、請求項１又は請求項２のいずれかに係る発明の音声情報報知システムにおいて、前記音声送信装置は、撮影手段を更に具備し、前記送信手段は、音声信号と共に前記撮影手段で撮影された映像を無線信号に変換して送信し、前記音声分析装置は、前記受信手段で受信された無線信号から映像信号を復調して前記表示手段に表示する映像処理手段を更に具備する構成を採る。
【００１０】
この構成によれば、音声の取得とともに映像を取得することができるので、事が起きた場合に、そのときの状況を音声のみの場合よりも更に的確に把握することが可能となる。
【００１１】
請求項４に係る発明の音声情報報知システムは、請求項１から請求項３のいずれかに係る発明の音声情報報知システムにおいて、前記音声分析装置の前記表示手段は、音声が記録された時刻、前記音声送信装置を少なくとも２つ設置した場合にその識別番号、音声波形並びに音声分析の結果を表示する構成を採る。
【００１２】
この構成によれば、事が起きたときの状況を的確に把握することが可能となる。
【００１３】
請求項５に係る発明の音声情報報知方法は、所望の場所で音声を拾い、それを無線信号に変換して送信し、離れた場所でその無線信号を受信して音声信号を復調し、復調した音声信号を音声解析して音源を特定し、特定した結果を視覚情報として表示し、更にランプを一定時間点滅させてユーザに音声の集音が行われたことと集音した音声の意味を知らせる。
【００１４】
この方法によれば、聴覚障害を持つ人や耳が遠くなった老人でも安心して周囲の音声の変化を知ることができ、何らかの非常事態が起きても即座に次の行動をとることが可能となる。
【００１５】
【発明の実施の形態】
本発明の骨子は、所望の場所で音声を拾い、それを無線信号に変換して送信し、離れた場所でその無線信号を受信して音声信号を復調し、復調した音声信号を音声解析して音源を特定し、特定した結果を視覚情報として表示し、更にランプを一定時間点滅させてユーザに音声の集音が行われたことと、集音した音声を知らせることである。
【００１６】
以下、本発明の実施の形態について、図面を参照して詳細に説明する。
【００１７】
（実施の形態１）
図１は、本発明の実施の形態１に係る音声情報報知システムの概略構成を示すブロック図である。
この図に示す本実施の形態に係る音声情報報知システムは、所望の場所で音声を拾って音声信号として送信する音声送信装置１と、この音声送信装置１から送信された音声信号を受信して解析する音声分析装置２とを備えて構成される。
【００１８】
音声送信装置１は、音声を入力するマイクロフォン（以下、マイクと略称する）３と、このマイク３によって拾われた音声を無線信号に変換して送信する送信部４と、無線信号を中空へ放射するアンテナ５とを備えている。この音声送信装置１は、これを使用するユーザの自宅は勿論のこと、自宅外のあらゆる場所に設置することが可能である。そして、自宅内でも様々な場所に設置することで各場所での音声を拾うことができる。
【００１９】
一方、音声分析装置２は、図２のブロック図に示すように、アンテナ６と、このアンテナ６で捉えられた無線信号から音声信号を復調する受信部７と、この受信部７で復調された音声信号の波形を分析する音声分析部８と、装置各部を制御するマイクロコンピュータ（以下、マイコンと略称する）９と、各種メッセージデータを記憶したメモリ（例えばＥＥＰＲＯＭ：Electrically Erasable PROM）１０と、時刻を記録するタイムスタンプ部１１と、音声反応があったことを周辺に知らせるために用いられるランプ１２と、音声分析部８での分析結果を表示するための表示部１３と、バッテリ１４と、バッテリ電圧検出部１５と、装置各部を相互に接続するためのバス１６とを備えている。
【００２０】
音声分析部８は、様々な音源を特定するためのデータを記憶しており、音声信号の波形分析して音源を特定する。音源を特定するデータとして、例えばノック音、車、バイク、電車並びに飛行機のエンジン音、緊急車両のサイレン音、踏み切りサイレン音、信号機報知音、雨音、雷音、風音、犬の吠える音、小鳥のさえずり、などのデータがある。なお、予め用意しているデータに該当するものがない場合には判明できない音声である旨の情報を出力する。
【００２１】
マイコン９は、音声分析部８の各種分析結果に対応するメッセージデータをメモリ１０から読み出し、読み出したメッセージデータと音声を取得した時刻とを表示部１３に表示する。以下に表示の一例を挙げる。
・時刻００：３０  下記の音声を記録しました。
→ノック音
・時刻１５：２０  下記の音声を記録しました。
→車のエンジン音
【００２２】
ここで、メモリ１０に記憶させた各種メッセージのうち、緊急用のメッセージには、緊急車、踏み切りサイレン等があり、訪問用のメッセージには、人がノックする音やブザー音、人の話声等がある。また、環境用のメッセージには、天気や自然に生じる音声、例えば雨音、雷音、風音等があり、動物用のメッセージには、動物やペットが発した音声、例えば犬の吠え、鳥のさえずり音等がある。
【００２３】
マイコン９は、上記機能の他にバッテリ電圧検出部１５の出力からバッテリ１４の電圧を監視しており、バッテリ切れが近づいたと判断したときに、表示部１３にバッテリ切れを知らせる表示を行う。
【００２４】
次に、上記構成の音声情報報知システムの動作を説明する。
音声送信装置１では、音声を拾うと、拾った音声を無線信号に変換して送信する。音声送信装置１から送信された無線信号は音声分析装置２で受信されて、音声信号の復調が行われ、その後波形の分析が行われる。そして、分析された音声波形と予め記憶している各種音源の波形データとの比較が行われ、その中で最も近いものが選択される。予め記憶している各種音源の波形データのなかで最も近いものが選択された後、音声が入力された時刻、場所、分析結果が表示部１３に表示される。
【００２５】
例えば、００時２１分にノック音が拾われた場合には、図３に示すように表示される。「時刻」、「発生場所」、「波形」、「音声分析結果」、「音声の大きさ」の順で表示される。なお、この図に示す表示例は、音声送信装置１が少なくとも２台設置されていて、そのうちの１台が音声を拾った場合で、音声を拾った音声送信装置１を「音声送信装置１−２」としている。
【００２６】
一方、分析した音声波形に近い波形データが無い場合には、判明できない旨のメッセージ（例えば「判明できない音声があります」）が表示部１３に表示される。なお、不明な音声が判明すれば、音声分析装置２に音声データとして記録し、音声の種類を登録することも可能である。
【００２７】
なお、音声分析装置２では、音声送信装置１からの無線信号を受信したときにランプ１２を一定時間点滅させてユーザに音声を拾ったことを伝える。
【００２８】
このように、本実施の形態に係る音声情報報知システムによれば、周囲の音声を拾って音声データを送信する音声送信装置１と、音声送信装置１から送信された音声データを受信して分析し、その結果をユーザに通知する音声分析装置２とを備え、音声分析装置２にて、音声が入力された時刻、場所、音声波形、分析結果を表示するので、ユーザは一目で環境の変化を知ることができる。すなわち、波形や大きさを表示することで音がどのように発生しているか、音の大きさを知ることができる。
【００２９】
したがって、本実施の形態に係る音声情報報知システムを使用することで、聴覚障害を持つ人や耳が遠くなった老人でも安心して周囲の音声の変化を知ることができ、何らかの非常事態が起きても即座に次の行動をとることが可能となる。
【００３０】
なお、上記実施の形態では、音声分析装置２を単独使用としたが、携帯電話やＰＨＳ(Personal Handy-Phone System)などの移動端末に組み込んでも構わない。このようにすることで、万が一危険な状況に遭遇した場合でも移動体端末の電話機能の使用することで緊急連絡を行うことができ、利便性向上を期待できる。
【００３１】
（実施の形態２）
図４は、本発明の実施の形態２に係る音声情報報知システムの概略構成を示すブロック図である。
本実施の形態に係る音声情報報知システムは、携帯電話やＰＨＳあるいは電子メール受信可能な固定電話（ＩＰ(Internet Protocol)電話を含む）に対して、音声分析した結果を電子メールで送信できる電子メール送信部２１を有する音声分析装置２０を備えている。なお、電子メール送信機能以外は、上述した音声分析装置２と同一の機能を有している。
【００３２】
このように、本実施の形態に係る音声情報報知システムによれば、電子メール送信部２１を有する音声分析装置２０を具備するので、例えば自宅に本装置２０と、少なくとも１つの音声送信装置１を設置しておくことで、外出中に家の状況に変化があった場合にその状況の変化を携帯電話３００に送ることができる。この通知を受けたユーザは適切な処置を行うことができ、泥棒の被害や火事等の災害を最小限に抑えることが可能となる。
【００３３】
（実施の形態３）
図５は、本発明の実施の形態３に係る音声情報報知システムの概略構成を示すブロック図である。
本実施の形態に係る音声情報報知システムは、上述した実施の形態１に係る音声情報報知システムの音声送信装置１と同一の構成に加えてカメラ１０１を有する音声送信装置１００と、上述した実施の形態２に係る音声情報報知システムの音声分析装置２０と同一の構成に加えて、表示部１３に映像を表示する映像処理部２０１を有する音声分析装置２００とを備えて構成される。なお、カメラ１０１としては、装置本体の軽量化を図る点からＣＣＤ(Charge Coupled Device)カメラが好適である。
【００３４】
音声送信装置１００は、音声を拾ったときにカメラ１０１を動作させて撮影を開始し、音声データと共に映像データを無線信号に変換して送信する。音声分析装置２００は、音声送信装置１００から送信された無線信号を受信すると、受信した無線信号から音声データと映像データをそれぞれ復調し、音声分析結果に基づくメッセージを表示するとともに映像を表示する。また、このときランプ１２を一定時間点滅させる。音声分析装置２００を所持したユーザは、発生した音声の原因をメッセージ表示と映像で知ることができる。
【００３５】
【発明の効果】
以上説明したように、本発明によれば、聴覚障害を持つ人や耳が遠くなった老人でも安心して周囲の音声の変化を知ることができるので、何らかの非常事態が起きても即座に次の行動をとることができ、安全性を確保することができる。
【図面の簡単な説明】
【図１】本発明の実施の形態１に係る音声情報報知システムの概略構成を示すブロック図
【図２】本発明の実施の形態１に係る音声情報報知システムの音声分析装置の構成を示すブロック図
【図３】本発明の実施の形態１に係る音声情報報知システムの音声分析装置における表示例を示す図
【図４】本発明の実施の形態２に係る音声情報報知システムの概略構成を示すブロック図
【図５】本発明の実施の形態３に係る音声情報報知システムの概略構成を示すブロック図
【符号の説明】
１、１００  音声送信装置
２、２００  音声分析装置
３  マイク
４、１０２  送信部
５、６  アンテナ
７  受信部
８  音声分析部
９  マイコン
１０  メモリ
１１  タイムスタンプ部
１２  ランプ
１３  表示部
１４  バッテリ
１５  バッテリ電圧検出部
１６  バス
２１  電子メール送信部
２０１  映像処理部
３００  携帯電話
【図１】
2004207876.tif 000003
【図２】
2004207876.tif 000004
【図３】
2004207876.tif 000005
【図４】
2004207876.tif 000006
【図５】
2004207876.tif 000007